(57)【要約】【課題】単に小型にするとチューナの各同調用インダクタ同士が近接してしまい、小型化サイズの電子チューナが実現できなかった。【解決手段】複数個の受信回路部を構成するそれぞれの同調回路に対して、少なくとも一つのダンピング回路を設けるとともに、非動作とした受信回路部の同調用インダクタを、前記ダンピング回路によってダンピングするものである。  これにより、非動作とした受信回路部に設けられたアンテナ同調用インダクタまたは段間同調用インダクタは、それぞれのダンピング回路によってダンピングされる。  従って、複数個の受信回路部のアンテナ同調用インダクタ同士、または段間同調用インダクタ同士は、互いに高周波シールド用の仕切り板を用いることなく、近接して配置することが可能となるので、小型サイズの電子チューナを実現できる。【選択図】図１
2005303764.tif 000002
【特許請求の範囲】
【請求項１】
高周波信号が入力される入力端子と、この入力端子に接続された分波器を介して並列接続された第１、第２の受信回路部と、この第１、第２の受信回路部の出力側がそれぞれの端子に接続された切替えスイッチと、この切替えスイッチの共通端子の信号が一方に入力されるとともに第１の発振器の出力が他方に入力される第１の混合回路部と、この第１の混合回路部の出力が供給されるＩＦ出力端子とからなる電子チューナにおいて、前記第１、第２の受信回路部は、少なくとも、それぞれ同調用インダクタと同調用コンデンサを有するそれぞれ第１、第２の同調回路で形成され、前記同調用インダクタは、少なくとも一つには、並列接続されたダンピング回路が設けられ、前記第１、第２の受信回路部のいずれかを非動作とした前記受信回路部の前記同調用インダクタが前記ダンピング回路によりダンピングされた電子チューナ。
【請求項２】
ダンピング回路は、スイッチ回路と抵抗体の直列接続体からなる請求項１に記載の電子チューナ。
【請求項３】
ダンピング回路は、同調用コンデンサに近接して配置された請求項１に記載の電子チューナ。
【請求項４】
第１、第２の同調回路を形成する同調用インダクタ同士の間には、空気のみを介在させた請求項１に記載の電子チューナ。
【請求項５】
第１、第２の同調回路を形成する同調用インダクタ同士の距離は、これらの同調用インダクタと、第１、第２の受信回路部が収納される金属製のケースあるいは仕切り板との距離より小さくした請求項４に記載の電子チューナ。
【請求項６】
請求項１に記載の電子チューナにおいて、少なくとも、切替えスイッチとこの切替えスイッチに近接して設けられたダンピング回路と第１の混合回路部とが同一パッケージに集積された集積回路。
【請求項７】
第１の発振器にＰＬＬ制御部をループ接続し、このＰＬＬ制御部に制御データを供給する制御データ入力端子を設けるとともに、前記制御データによってダンピング回路が制御された請求項１に記載の電子チューナ。
【請求項８】
請求項７に記載の電子チューナの制御データ入力端子に対して、制御データを送出する制御部を有した高周波信号受信機。
【請求項９】
高周波信号が入力される入力端子と、この入力端子に接続された分波器を介して並列接続された第３、第４の受信回路部と、この第３、第４の受信回路部の出力側がそれぞれの端子に接続された切替えスイッチと、この切替えスイッチの共通端子の信号が供給されるＩＦ出力端子とからなる電子チューナにおいて、前記第３、第４の受信回路部は、少なくとも、同調用インダクタと同調用コンデンサを有するそれぞれ第３、第４の同調回路で形成され、これら第３、第４の同調回路の出力がそれぞれ一方に入力された第２、第３の混合器と、これら第２、第３の混合器の他方にそれぞれ入力された第２、第３の発振器と、これら第２、第３の発振器にそれぞれ接続された同調用インダクタと同調用コンデンサからなる第５、第６の同調回路とから形成され、前記第３、第４の受信回路部および前記第５、第６の同調回路を形成する前記同調用インダクタの少なくとも一つには、並列接続されたダンピング回路が設けられ、前記第３、第４の受信回路部および第５、第６の同調回路の内、非動作とした受信回路部および同調回路に設けられた前記同調用インダクタが前記ダンピング回路によりダンピングされる電子チューナ。
【請求項１０】
ダンピング回路は、スイッチ回路と抵抗体の直列接続体からなる請求項９に記載の電子チューナ。
【請求項１１】
ダンピング回路は、同調用コンデンサに近接して配置された請求項９に記載の電子チューナ。
【請求項１２】
第３、第４の同調回路を形成する同調用インダクタ同士の間、あるいは第５、第６の同調回路を形成する同調用インダクタ同士の間には、空気のみを介在させた請求項９に記載の電子チューナ。
【請求項１３】
少なくとも、第３、第４の同調回路を形成する同調用インダクタ同士の距離、あるいは第５、第６の同調回路を形成する同調用インダクタ同士の距離は、これらの同調用インダクタと、第３、第４の受信回路部および前記第５、第６の同調回路が収納される金属ケースあるいは仕切り板との距離より小さくした請求項１２に記載の電子チューナ。
【請求項１４】
請求項９に記載の電子チューナにおいて、少なくとも、第２、第３の混合器と、この第２、第３の混合器に近接して設けられたそれぞれのダンピング回路が同一パッケージに集積された集積回路。
【請求項１５】
第２、第３の発振器にＰＬＬ制御部をループ接続し、このＰＬＬ制御部に制御データを供給する制御データ入力端子を設けるとともに、前記制御データによってダンピング回路が制御された請求項９に記載の電子チューナ。
【請求項１６】
請求項１５に記載の電子チューナの制御データ入力端子に向かって、制御データを送出する制御部を有する高周波信号受信機。
【発明の詳細な説明】
【技術分野】
【０００１】
本発明は、複数以上の受信バンドを有する電子チューナ等に関するものである。
【背景技術】
【０００２】
以下、従来の電子チューナは、図１３に示す構成をしていた。すなわち、図１３において、入力端子１から入力された高周波の入力信号は、分波器２により高い周波数と低い周波数に分けられて、それぞれ受信回路部３，４に入力されていた。この受信回路部３，４のそれぞれの出力は、混合回路部５のそれぞれの入力端子５ａ，５ｂに接続されていた。
【０００３】
受信回路部３は、入力とグランド間に接続された同調用コンデンサ６ａと同調用インダクタ６ｂの並列接続体からなるアンテナ同調回路６と、このアンテナ同調回路６の出力が接続された増幅器７と、この増幅器７の出力とグランド間に接続された同調用コンデンサ８ａと同調用インダクタ８ｂの並列接続体からなる段間同調回路８と、この同調用インダクタ８ｂに誘導結合させた同調用インダクタ９ａと同調用コンデンサ９ｂからなる並列接続体からなる段間同調回路９と、この段間同調回路９の出力が接続された出力端子３ｂとから構成されていた。
【０００４】
受信回路部４は、入力とグランド間に接続された同調用コンデンサ１０ａと同調用インダクタ１０ｂの並列接続体からなるアンテナ同調回路１０と、このアンテナ同調回路１０の出力が接続された増幅器１１と、この増幅器１１の出力とグランド間に接続された同調用コンデンサ１２ａと同調用インダクタ１２ｂの並列接続体からなる段間同調回路１２と、同調用インダクタ１２ｂに誘導結合させた同調用インダクタ１３ａと同調用コンデンサ１３ｂからなる並列接体からなる段間同調回路１３と、この段間同調回路１３の出力が接続された出力端子４ｂとから構成されていた。
【０００５】
混合回路部５は、入力端子５ａが接続された一方の入力端子１４ａと入力端子５ｂが接続された入力端子１４ｂとを有した電子スイッチ１４と、この電子スイッチ１４の共通端子１４ｃが一方の入力に接続された混合器１５と、この混合器１５の他方の入力に接続されるとともに同調用インダクタ１６ａと同調用コンデンサ１６ｂの並列接続体からなる発振同調回路１６を有する発振器１７と、混合器１５の出力と出力端子１８の間に接続された増幅器１９とからなっていた。
【０００６】
以上のように構成された電子チューナにおいて、以下に動作を説明する。制御部からのＰＬＬ制御データが、ＰＬＬ制御用端子２０Ａを介してＰＬＬ制御部２０に入力される。このＰＬＬ制御データにより、受信回路部３，４のいずれかが選択されるとともに、この選択された受信回路部の出力信号が共通端子１４ｃから出力されるように電子スイッチ１４が制御される。
【０００７】
さらに、ＰＬＬ制御部２０の出力２０ｂからの同調用電圧により、同調用コンデンサ６ａ，８ａ，９ｂ，１０ａ，１２ａ，１３ｂは、所定の容量値に設定されるので、アンテナ同調回路６，１０および段間同調回路８，９，１２，１３は、希望信号を選択できる。
【０００８】
以上のように、入力端子１に入力された高周波の入力信号は、同調回路３あるいは４により希望信号が選択されたのち、混合器１５により中間周波数に変換された信号が出力端子１８から出力されていた。
【０００９】
なお、この出願の発明に関連する先行技術文献情報としては、例えば、特許文献１が知られている。
【特許文献１】特開平４−３７９９１８号公報
【発明の開示】
【発明が解決しようとする課題】
【００１０】
しかしながら、このような従来の電子チューナでは、単に小型化サイズにした場合には、コイル６ｂと１０ｂ、コイル８ｂと９ａ、コイル１２ｂと１３ａのそれぞれが近接してしまうので、互いのコイル間での高周波的な結合が発生した。
【００１１】
これにより、受信回路部４により例えば低い周波数の入力信号を受信する場合には、高い周波数域での選択特性が劣化するために、高い周波数の信号による妨害が発生した。同様に、受信回路部３により例えば高い周波数の信号を受信する場合には、より高い周波数域での選択特性が劣化して、より高い周波数の信号による妨害が発生した。
【００１２】
このため、アンテナ同調用のコイル同士および段間同調用のコイル同士の間隔をお互いに離し、あるいはシールド用金属板を挿入していた。従って、小型の高周波受信装置が実現できないという問題があった。
【００１３】
そこで本発明は、この問題を解決したもので、小型サイズの電子チューナを実現することを目的としたものである。
【課題を解決するための手段】
【００１４】
この目的を達成するために本発明の電子チューナは、複数個の受信回路部を構成するそれぞれの同調回路に対して、少なくとも一つのダンピング回路を設けるとともに、非動作とした受信回路部の同調用インダクタを、前記ダンピング回路によってダンピングするものである。これにより、小型サイズの電子チューナを実現できる。
【発明の効果】
【００１５】
以上のように本発明によれば、非動作とした受信回路部に設けられたアンテナ同調用インダクタまたは段間同調用インダクタは、それぞれのダンピング回路によってダンピングされる。従って、選択された受信回路部のアンテナ同調用インダクタまたは段間同調用インダクタは、非動作とした受信回路部のアンテナ同調用インダクタまたは段間同調用インダクタとの高周波結合による影響を受けなくなる。すなわち、選択された受信回路部においては、選択特性の劣化がない。
【００１６】
また、複数個の受信回路部のアンテナ同調用インダクタ同士、または段間同調用インダクタ同士は、互いに高周波シールド用の仕切り板を用いることなく、近接して配置することが可能となるので、小型サイズの電子チューナを実現できる。
【発明を実施するための最良の形態】
【００１７】
（実施の形態１）
以下、本発明の実施の形態１について、図面を用いて説明する。図１は、本発明の実施の形態１における電子チューナの回路図である。図１において、２１は高周波の入力信号が入力される入力端子である。この入力端子２１は、分波器２２の共通端子２２ａに接続されている。この分波器２２の出力端子２２ｂ，２２ｃは、受信回路部２３，２４のそれぞれの入力２３ａ，２４ａに接続されている。
【００１８】
ここで、受信回路部２３は、入力信号の内の高い周波数を受信するものとし、受信回路部２４は、入力信号の内の低い周波数を受信するものとしている。
【００１９】
これら受信回路部２３，２４のそれぞれの出力２３ｂ，２４ｂは、混合回路部２６の入力端子２６ａ，２６ｂに接続されている。この混合回路部２６の出力は、出力端子２７に接続されている。
【００２０】
受信回路部２３は、入力２３ａに接続されるとともに同調用のコンデンサ２８ａと同調用のインダクタ２８ｂが並列接続された同調回路２８と、この同調回路２８の出力に接続された増幅器２９と、この増幅器２９の出力に接続されるとともに、同調用のコンデンサ３０ａと同調用のインダクタ３０ｂにより構成された同調回路３０と、同調用のコンデンサ３１ｂと同調用のインダクタ３１ａにより構成された同調回路３１とからなり、同調回路３０の出力は出力端子２３ｂを介して混合回路部２６の入力端子２６ａに接続されていた。
【００２１】
なお、同調回路３０のインダクタ３０ｂと同調回路３１のインダクタ３１ａとは、誘導結合として構成しており、これら同調回路３０，３１により複同調回路としている。
【００２２】
さらに、同調回路２８とグランド間にはダンピング回路３２が並列に接続されている。同調回路３０の入力とグランド間、同調回路３１の出力とグランド間には、それぞれダンピング回路３３，３４が接続されている。
【００２３】
同様に、受信回路部２４は、入力２４ａに接続されるとともに同調用のコンデンサ３５ａと同調用のインダクタ３５ｂが並列接続された同調回路３５と、この同調回路３５の出力に接続された増幅器３６と、この増幅器３６の出力に接続されるとともに、同調用のコンデンサ３７ａと同調用のインダクタ３７ｂにより構成された同調回路３７と、同調用のコンデンサ３８ｂと同調用のインダクタ３８ａにより構成された同調回路３８とからなり、同調回路３８の出力は出力端子２４ｂを介して混合回路部２６の入力端子２６ｂに接続されていた。
【００２４】
なお、同調回路３７のインダクタ３７ｂと同調回路３８のインダクタ３８ａとは、誘導結合として構成しており、これら同調回路３７，３８により複同調回路としている。
【００２５】
さらに、同調回路３５の出力とグランド間にはダンピング回路３９が接続されている。また、同調回路３７の入力とグランド間、同調回路３８の出力とグランド間には、それぞれダンピング回路４０，４１が接続されている。
【００２６】
そして、混合回路部２６は、入力端子２６ａ，２６ｂのそれぞれが入力端子５１ａ，５１ｂに接続された切替えスイッチ５１と、この切替えスイッチ５１の共通端子５１ｃが一方の入力に接続された混合器５２と、この混合器５２の他方の入力に接続された発振器５３と、この発振器５３に接続されるとともにコンデンサ５４ａとインダクタ５４ｂが並列に接続された並列接続回路からなる発振同調回路５４と、この混合器５２の出力と出力端子２７の間に接続された増幅器５５とから構成されている。
【００２７】
さらに、発振器５３からの出力信号は、ＰＬＬ制御部６０の入力６０ａに接続されている。このＰＬＬ制御部６０の出力６０ｂからは、同調用電圧が出力される。この同調用電圧が、コンデンサ５４ａに印加されることにより、発振器５３は、所定の発振周波数となる。同時に、出力６０ｂからの同調用電圧は、コンデンサ２８ａ，３０ａ，３１ｂ，３５ａ，３７ａ，３８ｂに供給されている。
【００２８】
また、ＰＬＬ制御部６０の出力６０ｃは、ダンピング回路３２，３３，３４，３９，４０，４１に接続されており、出力６０ｃからの出力電圧によりそれぞれのダンピング回路を独立にオンオフ制御できる。なお、ＰＬＬ制御部６０の入力６０ｄには、ＰＬＬ制御用端子６１が接続されており、制御部からのＰＬＬ制御データが入力される。
【００２９】
以上のように構成された電子チューナについて、図１を用いてその動作を説明する。ＰＬＬ制御用データ信号が、ＰＬＬ制御部６０の入力６０ｄに入力される。このＰＬＬ制御部６０の出力６０ｃからの出力電圧により、受信回路部２３または２４にのいずれかに電源が供給される。これにより、例えば高い周波数を受信する場合には、受信回路部２３が動作状態となり、低い周波数を受信する場合には、受信回路部２４が動作状態となる。
【００３０】
同時に、このＰＬＬ制御部６０からの出力６０ｃによって、混合回路部２６の切替えスイッチ５１は、動作状態となった受信回路部からの出力が選択されるように、切替えられる。
【００３１】
また、ＰＬＬ制御部６０の入力６０ａには、発振器５３の発振信号が入力されている。この発振信号の発振周波数は、ＰＬＬ制御部６０内で基準周波数と比較される。さらに、ＰＬＬ制御部６０の出力６０ｂからの同調用電圧は、発振器５３の発振同調回路５４の同調用コンデンサ５４ａに印加される。このように、発振器５３は、ＰＬＬ制御されることになり、所定の発振周波数とできる。
【００３２】
この出力６０ｂからの同調用電圧は、同調回路２８，３０，３１，３５，３７，３８，５４を構成するそれぞれの同調用コンデンサ２８ａ，３０ａ，３１ｂ，３５ａ，３７ａ，３８ｂにも供給される。これにより、同調回路２８，３０，３１，３５，３７，３８，５４の同調周波数は、所定の周波数となる。このように、ＰＬＬ制御用端子６１に入力されるＰＬＬ制御データにより、受信回路部２３あるいは２４のいずれかが選択される。
【００３３】
まず、受信回路部２３について、説明する。入力端子２１に入力された高周波の入力信号は、分波器２２の共通端子２２ａに入力される。この分波器２２の出力２２ｂからは、高い周波数の入力信号が出力される。この高い周波数の入力信号は、受信回路部２３の入力２３ａに供給される。入力２３ａに入力された高い周波数の入力信号は、アンテナ同調回路２８で希望信号が選択されたのち増幅器２９により増幅される。この増幅器２９からの出力信号は、段間同調回路３０および３１によりさらに希望信号が選択される。この希望信号は、出力２３ｂから出力される。この希望信号は、出力２３ｂから出力されて、混合回路部２６の入力端子２６ａに供給される。
【００３４】
次に、受信回路部２４について、説明する。分波器２２の出力２２ｃからは、低い周波数の入力信号が出力される。この低い周波数の入力信号は、受信回路部２４の入力２４ａに供給される。入力２４ａに入力された低い周波数の入力信号は、アンテナ同調回路３５で希望信号が選択されたのち増幅器３６により増幅される。この増幅器３６からの出力信号は、段間同調回路３７および３８によりさらに希望信号が選択される。この希望信号は、出力２４ｂから出力されて、混合回路部２６の入力端子２６ｂに供給される。
【００３５】
さらに、混合回路部２６について説明する。入力端子２６ａ，２６ｂからの出力は、切替えスイッチ５１のそれぞれの入力端子５１ａ，５１ｂに接続されている。切替えスイッチ５１では、選択された受信回路部の出力が選択されるように、入力端子５１ａ，５１ｂが選択されている。
【００３６】
この切替えスイッチ５１の出力５１ｃからの出力信号は、混合器５２の一方の入力に供給される。この混合器５２の他方の入力には、発振器５３からの出力信号が供給されることにより、混合器５２の出力からは、中間周波数の信号が出力される。この中間周波数の信号は、増幅器５５により増幅されたのち、出力端子２７から出力される。
【００３７】
次に、ダンピング回路３２，３３，３４，３９，４０，４１について説明する。これらダンピング回路３２，３３，３４，３９，４０，４１は、電子スイッチから構成されている。これら電子スイッチの両端が接続されることにより、高周波的に短絡されることになる。また、ダンピング回路３２，３３，３４，３９，４０，４１は、ＰＬＬ制御部６０の出力６０ｃからのダンピング用制御電圧によって短絡あるいは開放の状態に制御される。
【００３８】
例えば、受信回路部２３が選択されて、受信回路部２４が非動作された場合につい説明する。受信回路部２３では、ダンピング回路３２，３３，３４を開放の状態として、希望信号のみが選択される状態とする。一方、受信回路部２４では、ダンピング回路３９，４０，４１を短絡の状態として、アンテナ同調回路３５、段間同調回路３７，３８をダンピングする。
【００３９】
図２は、実施の形態１における電子チューナの部品配置図である。なお、図１においては、受信回路部が２つの場合を示しているが、図２においては、受信回路部が３つとしている。また、図１で使用した部品について、図２と同じものについては同一の番号を付して説明を簡略化している。
【００４０】
図２において、２１は入力端子である。７０は、受信回路部２３と２４、混合回路部２６、ＰＬＬ制御部６０の収納される金属製のケースである。また、７０ａは、アンテナ同調回路２８，３５と段間同調回路３０，３１，３７，３８とが高周波的に結合しないための金属製の仕切り板である。同様に、７０ｂは、段間同調回路３０，３１，３７，３８と発振器５３を含む混合回路部２６が高周波的に結合しないための金属製の仕切り板である。
【００４１】
さらに、７１は、３つ目の受信回路部のアンテナ同調用インダクタである。７２は、３つ目の受信回路部の入力端子２１に近い位置にある段間同調用インダクタである。７３は、３つ目の受信回路部の出力端子２７に近い位置にある段間同調用インダクタである。５４ｂは、発振同調回路５４の発振同調用インダクタであり、３つの受信回路部に対応させて３つの発振同調用インダクタから構成されている。
【００４２】
このように、小型サイズの電子チューナでは、アンテナ同調用インダクタ２８ｂ，３５ｂ，７１同士が近接し、段間同調用インダクタ３０ｂ，３７ｂ，７２同士が近接し、段間同調用インダクタ３１ａ，３８ａ，７３同士が近接することになる。これによって、互いのコイル同士が誘導結合し、高周波的な影響が発生する。
【００４３】
図１４（ａ）は、従来例における電子チューナの段間同調回路９，１３の図である。図１４（ａ）において、図１３と同じものについては、同じ番号を付し、その説明を簡略化している。
【００４４】
この図１４（ａ）では、段間同調回路９，１３の構成部品として段間同調用インダクタ９ａ，１３ａおよび段間同調用コンデンサ９ｂ，１３ｂを表している。この段間同調用インダクタ９ａと１３ａが近接することによって、互いに誘導結合が発生する。
【００４５】
図１４（ｂ）は、従来例における電子チューナの段間同調回路の等価回路図である。図１４（ｂ）において、段間同調用インダクタ９ａと１３ａによる誘導結合による結合インダクタンスが８１である。この結合インダクタンス８１が生じることによって、段間同調用インダクタ９ａ，１３ａは、それぞれ結合インダクタンスの分だけインダクタンス値が減少してインダクタンス８２，８３となる。
【００４６】
図１５は、従来例における電子チューナの段間同調回路９のインピーダンス特性である。図１５において、（Ａ）は周波数を表し、（Ｂ）はインピーダンスを表し、従来例の特性インピーダンスを８７で表す。
【００４７】
この図１５において、８８は、段間同調用コンデンサ１３ｂとインダクタ８３の直列回路８４による直列共振周波数である。さらに、８９は、直列回路８４と結合インダクタ８１との並列回路８５による並列共振周波数である。また、９０は、並列回路８５とインダクタ８２の直列回路による直列共振周波数である。さらに、９１は、主に段間同調用コンデンサ９ｂとインダクタンス８１および８２との並列回路による並列共振周波数である。図１６は、従来例における電子チューナの段間同調回路９の周波数に対する選択特性を表している。なお、図１６で使用した周波数について、図１５と同じものについては同一の番号を付して説明を簡略化している。また、（Ａ）は周波数を、（Ｃ）は減衰量を、段間同調回路９の選択特性は９３で表している。
【００４８】
図１６において、段間同調回路９の選択特性は、図１５のインピーダンス特性より明らかなように、直列共振周波数８８、９０は、共に阻止域となる。並列共振周波数９１は、希望信号が通過する通過域となる。また、並列共振周波数８９は、並列共振周波数９１より高い周波数において、選択特性の劣化が発生する。この選択特性の劣化によって、妨害信号の排除ができなくなり、受信性能が悪くなってしまう。
【００４９】
図３（ａ）は、実施の形態１における段間同調回路３１，３８の回路図である。図３（ａ）において、図１と同じものについては、同じ番号を付し、その説明を簡略化している。
【００５０】
この図３（ａ）では、段間同調回路３１，３８の構成部品である段間同調用インダクタ３１ａ，３８ａおよび段間同調用コンデンサ３１ｂ，３８ｂを表している。この段間同調用インダクタ３１ａと３８ａが近接することによって、互いに誘導結合が発生する。
【００５１】
図３（ｂ）は、実施の形態１における段間同調回路３１の等価回路図である。図３（ｂ）において、段間同調用インダクタ３１ａと３８ａによる誘導結合による結合インダクタンスが９６である。この結合インダクタンス９６が生じることによって、段間同調用インダクタ３１ａ，３８ａは、結合インダクタンスの分だけインダクタンス値が減少して、それぞれインダクタンス９７，９８となる。また、９９は、電子スイッチ４１が短絡されたときの短絡インダクタンスである。
【００５２】
図４は、実施の形態１における電子チューナの段間同調回路３１のインピーダンス特性図である。また、（Ａ）は周波数を（Ｂ）はインピーダンスを表し、段間同調回路３１のインピーダンス特性は１０８となる。
【００５３】
図４において、１０４は、並列回路１００とインダクタ９８の直列回路１０１による直列共振周波数である。１０５は、並列回路１００と結合インダクタ９６との並列回路１０１による並列共振周波数である。１０６は、並列回路１０１とインダクタ９７による直列共振周波数である。さらに、周波数１０７は、主に段間同調用コンデンサ３１ｂとインダクタンス９６および９７の並列回路による並列共振周波数である。なお、段間同調用コンデンサ３８ｂと短絡インダクタ９９の並列回路１００による並列共振周波数は、短絡インダクタが数ｎＨと微小なため、ＵＨＦより高い周波数となる。この並列共振周波数は図示していない。
【００５４】
図５は、実施の形態１における段間同調回路３１の選択特性を表している。なお、図５で使用した周波数について、図４と同じものについては同一の番号を付して説明を簡略化している。また。（Ａ）は周波数を、（Ｃ）は減衰量を表し、１１３は段間同調回路３１の選択特性を表している。
【００５５】
図５において、段間同調回路３１の選択特性は、図４のインピーダンス特性より明らかなように、直列共振周波数１０４，１０６は、共に阻止域となる。並列共振周波数１０７は、希望信号が通過する通過域となる。
【００５６】
このとき、並列共振周波数１０５は、受信周波数である並列共振周波数１０７に対して十分に高い周波数となり。また、並列共振周波数１０５の減衰量は直列共振周波数１０４，１０６によって十分に抑圧されている。従って、例え並列共振周波数１０５に妨害信号が存在したとしても、受信性能が悪くなることはない。
【００５７】
これに対して、従来例では、並列共振周波数８９は、受信周波数である並列共振周波数９１に近接して、ＵＨＦ帯域に存在していた。このＵＨＦ帯域の妨害信号により、受信性能が悪くなった。
【００５８】
以上は、段間同調用インダクタ３１ａと３８ａの間の誘導結合による選択特性の劣化について説明したが、段間同調用インダクタ３０ｂと３７ｂについても、あるいはアンテナ同調用インダクタ２８ｂと３５ｂについても、誘導結合による選択特性の影響は同様である。
【００５９】
従って、アンテナ同調用インダクタ２８ｂ，３５ｂ同士、または段間同調用インダクタ３０ｂ，３７ｂ，３１ａ，３８ａ同士の間には、互いに高周波シールドのための金属製のケースあるいは仕切り板を用いることなく、空気のみを介在させて近接して配置することが可能となるので、小型サイズの電子チューナを実現できる。
【００６０】
このとき、高周波シールド用の仕切り板には、金属製の仕切り板を用いることが多いが、絶縁材料に金属めっきを施した仕切り板を用いてもよい。
【００６１】
なお、実施の形態１の電子チューナでは、２つの受信回路部に対するダンピング回路の効果について説明したが、複数個の受信回路部を有する場合においても、ダンピング回路による効果は同様であり、非動作状態とした受信回路部に設けられた同調インダクタの少なくともいずれか一つを、ダンピング回路によりダンピングすればよい。
【００６２】
（実施の形態２）
以下、本発明の実施の形態２について、図面を用いて説明する。図６は、本発明の実施の形態２におけるダンピング回路図である。図６では、図３で説明したダンピング回路に対して、直列に抵抗を追加した点が異なる。また、図６において図３と同じものについては、同じ番号を付し、その説明を簡略化している。
【００６３】
図５において、実施の形態２における段間同調回路３１の選択特性１１４を点線で表している。このとき、抵抗１２０，１２１は、例えば数Ωから１００Ωの抵抗値を有する抵抗体とし、それぞれダンピング回路３４，４１に直列に接続する。非動作の受信回路部２４の段間回路部３８は、ダンピング回路４１と抵抗１２１の直列接続体によって、高周波的にダンピングされる。
【００６４】
この数Ωから１００Ωの抵抗値を有する抵抗体により、段間同調回路３１の選択特性１１４は、直列共振周波数１０４，１０６および並列共振周波数１０５が高周波的にダンピングされるので、点線で示すようになる。すなわち、直列共振周波数１０４，１０６および並列共振周波数１０５における減衰量が平均化されることになり、妨害に対する抑圧が平均的に増す。
【００６５】
（実施の形態３）
以下、本発明の実施の形態３について、図面を用いて説明する。図７は、本発明の実施の形態３における電子チューナの回路図である。図１では、混合回路部２６内に共通の混合器５２と共通の発振器５３を有しているのに対して、図７では、２つの受信回路部内にそれぞれ個別に混合器と発振器を有している点が異なる。
【００６６】
図７において、１３１は高周波の入力信号が入力される入力端子である。この入力端子１３１は、分波器１３２の共通端子１３２ａに接続されている。この分波器１３２の出力端子１３２ｂ，１３２ｃは、受信回路部１３３，１３４のそれぞれの入力１３３ａ，１３４ａに接続されている。
【００６７】
ここで、受信回路部１３３は、入力信号の内の高い周波数を受信するものとし、受信回路部１３４は、入力信号の内の低い周波数を受信するものとしている。
【００６８】
これら受信回路部１３３，１３４のそれぞれの出力１３３ｂ，１３４ｂは、ＩＦ増幅回路部１３６の入力端子１３６ａ，１３６ｂに接続されている。このＩＦ増幅回路部１３６の出力は、出力端子１３７に接続されている。
【００６９】
受信回路部１３３は、入力１３３ａに接続されるとともに同調用のコンデンサ１３８ａと同調用のインダクタ１３８ｂが並列接続されたアンテナ同調回路１３８と、このアンテナ同調回路１３８の出力に接続された増幅器１３９と、この増幅器１３９の出力に接続されるとともに、同調用のコンデンサ１４０ａと同調用のインダクタ１４０ｂにより構成された段間同調回路１４０と、同調用のコンデンサ１４１ｂと同調用のインダクタ１４１ａにより構成された段間同調回路１４１と、この段間同調回路１４１の出力が一方の入力に接続される混合器１４２と、この混合器１４２の他方の入力に接続される発振器１４３と、この発振器１４３に接続されるとともに発振同調コンデンサ１４４ａと発振同調インダクタ１４４ｂの並列回路からなる発振同調回路１４４と、混合器１４２の出力が接続された出力端子１３３ｂとからなり、この出力端子１３３ｂは、ＩＦ増幅回路部１３６の入力端子１３６ａに接続されている。
【００７０】
なお、段間同調回路１４０のインダクタ１４０ｂと段間同調回路１４１のインダクタ１４１ａとは、誘導結合として構成しており、これら段間同調回路１４０，１４１により複同調回路としている。
【００７１】
さらに、アンテナ同調回路１３８とグランド間にはダンピング回路１４９が並列に接続されている。また、段間同調回路１４０の入力とグランド間、段間同調回路１４１の出力とグランド間、発振同調回路１４４とグランド間には、それぞれダンピング回路１５０，１５１，１５２が接続されている。
【００７２】
同様に、受信回路部１３４は、入力１３４ａに接続されるとともにアンテナ同調用コンデンサ１５３ａとアンテナ同調用インダクタ１５３ｂが並列接続されたアンテナ同調回路１５３と、このアンテナ同調回路１５３の出力に接続された増幅器１５４と、この増幅器１５４の出力に接続されるとともに、段間同調用コンデンサ１５５ａと段間同調用インダクタ１５５ｂにより構成された段間同調回路１５５と、段間同調用コンデンサ１５６ｂと段間同調用インダクタ１５６ａにより構成された段間同調回路１５６と、この段間同調回路１５６の出力が一方の入力に接続される混合器１５７と、この混合器１５７の他方の入力に接続される発振器１５８と、この発振器１５８に接続されるとともに発振同調用コンデンサ１５９ａと発振同調用インダクタ１５９ｂの並列回路からなる発振同調回路１５９と、混合器１５７の出力が接続された出力端子１３４ｂとからなり、この出力端子１３４ｂは、ＩＦ増幅回路部１３６の入力端子１３６ｂに接続されている。
【００７３】
なお、段間同調回路１５５のインダクタ１５５ｂと段間同調回路１５６のインダクタ１５６ａとは、誘導結合として構成しており、これら段間同調回路１５５，１５６により複同調回路としている。
【００７４】
さらに、アンテナ同調回路１５３とグランド間にはダンピング回路１６２が並列に接続されている。また、段間同調回路１５５の入力とグランド間、段間同調回路１５６の出力とグランド間、発振同調回路１５９とグランド間には、それぞれダンピング回路１６３，１６４，１６５が接続されている。
【００７５】
さらに、発振器１４３および１５８からの出力は、ＰＬＬ制御部１７０の入力１７０ａに接続されている。このＰＬＬ制御部１７０の出力１７０ｂからは、同調用電圧が出力される。この同調用電圧が、発振同調用コンデンサ１４４ａあるいは１５９ａに印加されることにより、発振器１４３あるいは１５８を、所定の発振周波数とできる。同時に、ＰＬＬ制御部１７０の出力１７０ｂからの同調用電圧は、コンデンサ１３８ａ，１４０ａ，１４１ｂ，１５３ａ，１５５ａ，１５６ｂに供給されている。
【００７６】
また、ＰＬＬ制御部１７０の出力１７０ｃは、ダンピング回路１４９，１５０，１５１，１５２，１６２，１６３，１６４，１６５に接続されており、出力１７０ｃからの出力電圧によりそれぞれのダンピング回路を独立にオンオフ制御できる。なお、ＰＬＬ制御部１７０の入力１７０ｄには、制御部からのＰＬＬ制御データが入力されるＰＬＬ制御用端子１７１が接続されている。
【００７７】
以上のように構成された電子チューナについて、図７を用いてその動作を説明する。制御部からのＰＬＬ制御用データが、ＰＬＬ制御用端子１７１を介してＰＬＬ制御部１７０の入力１７０ｄに入力される。このＰＬＬ制御用データに基づいて、ＰＬＬ制御部１７０の出力１７０ｃにより、受信回路部１３３または１３４のいずれかに電源が供給される。これにより、例えば高い周波数を受信する場合には、受信回路部１３３が動作状態となり、例えば低い周波数を受信する場合には、受信回路部１３４が動作状態となる。
【００７８】
同時に、このＰＬＬ制御部１７０からの出力１７０ｃによって、ＩＦ増幅回路部１３６の切替えスイッチ１７２は、動作状態となった受信回路部からの出力が選択されるように、切替えられる。
【００７９】
また、ＰＬＬ制御部１７０の入力１７０ａには、発振器１４３あるいは１５８の発振信号が入力されている。この発振信号の発振周波数は、ＰＬＬ制御部１７０内で基準周波数と比較される。さらに、ＰＬＬ制御部１７０の出力１７０ｂからの同調用電圧は、発振器１４３の発振同調回路１４４の同調用コンデンサ１４４ａに印加、あるいは発振器１５８の発振同調回路１５９の同調用コンデンサ１５９ａに印加される。このように、発振器１４３あるいは１５８は、ＰＬＬ制御されることになり、所定の発振周波数とできる。
【００８０】
この出力１７０ｂからの同調用電圧は、アンテナ同調回路１３８、段間同調回路１４０，１４１，１５３，１５５，１５６を構成するそれぞれの同調用コンデンサ１３８ａ，１４０ａ，１４１ｂ，１５３ａ，１５５ａ，１５６ｂにも供給される。これにより、アンテナ同調回路１３８、段間同調回路１４０，１４１，１５３，１５５，１５６の同調周波数は、所定の周波数となる。このように、ＰＬＬ制御用端子１７１に入力されたＰＬＬ制御データにより、受信回路部１３３あるいは１３４のいずれかが選択される。
【００８１】
まず、受信回路部１３３について、説明する。入力端子１３１に入力された高周波の入力信号は、分波器１３２の共通端子１３２ａに入力される。この分波器１３２の出力１３２ｂからは、高い周波数の入力信号が出力される。この高い周波数の入力信号は、受信回路部１３３の入力１３３ａに供給される。入力１３３ａに入力された高い周波数の入力信号は、アンテナ同調回路１３８で希望信号が選択されたのち増幅器１３９により増幅される。この増幅器１３９からの出力信号は、段間同調回路１４０および１４１によりさらに希望信号が選択される。この希望信号は、混合器１４２の一方の入力に供給される。この混合器１４２の他方の入力には、発振器１４３からの出力信号が供給されることにより、混合器１４２の出力からは、中間周波数の信号が出力される。この中間周波数の信号は、出力１３３ｂから出力される。この中間周波数の信号は、出力１３３ｂから出力されて、ＩＦ増幅回路部１３６の入力端子１３６ａに供給される。
【００８２】
次に、受信回路部１３４について、説明する。分波器１３２の出力１３２ｃからは、低い周波数の入力信号が出力される。この低い周波数の入力信号は、受信回路部１３４の入力１３４ａに供給される。入力１３４ａに入力された低い周波数の入力信号は、アンテナ同調回路１５３で希望信号が選択されたのち増幅器１５４により増幅される。この増幅器１５４からの出力信号は、段間同調回路１５５および１５６によりさらに希望信号が選択される。この希望信号は、混合器１５７の一方の入力に供給される。この混合器１５７の他方の入力には、発振器１５８からの出力信号が供給されることにより、混合器１５７の出力からは、中間周波数の信号が出力される。この中間周波数の信号は、出力１３４ｂから出力されて、ＩＦ増幅回路部１３６の入力端子１３６ｂに供給される。
【００８３】
さらに、ＩＦ増幅回路部１３６について説明する。入力端子１３６ａ，１３６ｂからの中間周波数の信号出力は、切替えスイッチ１７２に接続されている。切替えスイッチ１７２では、選択された受信回路部の出力が選択されている。
【００８４】
この切替えスイッチ１７２にて選択された中間周波数の信号は、増幅器１６６により増幅されたのち、出力端子１３７から出力される。
【００８５】
次に、ダンピング回路１４９，１５０，１５１，１５２，１６２，１６３，１６４，１６５について説明する。これらダンピング回路１４９，１５０，１５１，１５２，１６２，１６３，１６４，１６５は、電子スイッチから構成されている。これら電子スイッチの両端が接続されることにより、高周波的に短絡されることになる。また、ダンピング回路１４９，１５０，１５１，１５２，１６２，１６３，１６４，１６５は、ＰＬＬ制御部１７０の出力１７０ｃからのダンピング用制御電圧によって短絡あるいは開放の状態に制御される。
【００８６】
例えば、受信回路部１３３が動作状態となり、受信回路部１３４が非動作状態の場合について説明する。受信回路部１３３では、ダンピング回路１４９，１５０，１５１，１５２を開放の状態として、希望信号のみが選択される状態とする。一方、受信回路部１３４では、ダンピング回路１６２，１６３，１６４，１６５を短絡の状態として、アンテナ同調回路１５３、段間同調回路１５５，１５６、発振同調回路１５９をダンピングする。
【００８７】
図８は、実施の形態３における電子チューナの部品配置図である。なお、図７においては、受信回路部が２つの場合を示しているが、図８においては、受信回路部が３つとしている。また、図８で使用した部品について、図７と同じものについては同一の番号を付して説明を簡略化している。
【００８８】
図８において、１３１は入力端子である。１８０は、受信回路部１３３と１３４、ＩＦ増幅回路部１３６、ＰＬＬ制御部１７０の収納される金属製のケースである。また、１８０ａは、アンテナ同調回路１３８，１５３と段間同調回路１４０，１４１，１５５，１５６が高周波的に結合しないための金属製の仕切り板である。同時に、１８０ｂは、段間同調回路１４０，１４１，１５５，１５６と発振器１４３，１５８および混合器１４２，１５７が高周波的に結合しないための金属製の仕切り板である。
【００８９】
１８１は、３つ目の受信回路部のアンテナ同調用インダクタである。１８２は、３つ目の受信回路部の入力端子１３１に近い位置にある段間同調用インダクタである。１８３は、３つ目の受信回路部の出力端子１３７に近い位置にある段間同調用インダクタである。１８４は、３つ目の受信回路部の発振同調用インダクタである。
【００９０】
このように、小型サイズの電子チューナでは、アンテナ同調用インダクタ１３８ｂ，１５３ｂ，１８１同士が近接し、段間同調用インダクタ１４０ｂ，１５５ｂ，１８２同士が近接し、段間同調用インダクタ１４１ａ，１５６ａ，１８３同士が近接し、発振同調用インダクタ１４４ｂ，１５９ｂ，１８４同士が近接することになる。これによって、互いのインダクタ同士が誘導結合し、高周波的な影響が発生する。
【００９１】
図９（ａ）は、実施の形態３における段間同調回路１４１，１５６の回路図である。図９（ａ）において、図７と同じものについては、同じ番号を付し、その説明を簡略化している。
【００９２】
この図９（ａ）では、段間同調回路１４１，１５６の構成部品である段間同調用インダクタ１４１ａ，１５６ａおよび段間同調用コンデンサ１４１ｂ，１５６ｂを表している。この段間同調用インダクタ１４１ａと１５６ａが近接することによって。互いに誘導結合が発生する。
【００９３】
図９（ｂ）は、実施の形態３における段間同調回路１４１の等価回路図である。図９（ｂ）において、段間同調用インダクタ１４１ａと１５６ａによる誘導結合による結合インダクタンスが１９６である。この結合インダクタンス１９６が生じることによって、段間同調用インダクタ１４１ａ，１５６ａは、結合インダクタンスの分だけインダクタンス値が減少して、それぞれインダクタンス１９７，１９８となる。また、１９９は、電子スイッチ１６４が短絡されたときの短絡インダクタンスである。
【００９４】
図１０は、実施の形態３における電子チューナの段間同調回路１４１のインピーダンス特性図である。また、（Ａ）は周波数を、（Ｂ）はインピーダンスを表し、段間同調回路１４１のインピーダンス特性は２０８となる。
【００９５】
図１０において、２０４は、並列回路２００とインダクタ１９８の直列回路２０１による直列共振周波数である。２０５は、並列回路２００と結合インダクタ１９６との並列回路２０１による並列共振周波数である。２０６は、並列回路２０１とインダクタ１９７による直列共振周波数である。さらに、周波数２０７は、主に段間同調用コンデンサ１４１ｂとインダクタンス１９６および１９７の並列回路による並列共振周波数である。なお、段間同調用コンデンサ１５６ｂと短絡インダクタ１９９の並列回路２００による並列共振周波数は、短絡インダクタが数ｎＨと微小なため、ＵＨＦより高い周波数となる。この並列共振周波数は図示していない。
【００９６】
図１１は、実施の形態３における段間同調回路１４１の選択特性を表している。なお、図１１で使用した周波数について、図１０と同じものについては同一の番号を付して説明を簡略化している。また、（Ａ）は周波数を、（Ｃ）は減衰量を表し、２１３は段間同調回路１４１の選択特性を表している。
【００９７】
図１１において、段間同調回路１４１の選択特性は、図１０のインピーダンス特性より明らかなように、直列共振周波数２０４，２０６は、共に阻止域となる。並列共振周波数２０７は、希望信号が通過する通過域となる。
【００９８】
このとき、並列共振周波数２０５は、受信周波数である並列共振周波数２０７に対して十分に高い周波数となり、また、並列共振周波数２０５の減衰量は直列共振周波数２０４，２０６によって十分に抑圧されている。従って、例え並列共振周波数２０５に妨害信号が存在したとしても、受信性能が悪くなることはない。
【００９９】
これに対して、従来例では、並列共振周波数８９は、受信周波数である並列共振周波数９１に近接して、ＵＨＦ帯域に存在していた。このＵＨＦ帯域の妨害信号により、受信性能が悪くなった。
【０１００】
以上は、段間同調用インダクタ１４１ａと１５６ａの間の誘導結合による選択特性の劣化について説明したが、段間同調用インダクタ１４０ｂと１５５ｂについても、あるいはアンテナ同調用インダクタ１３８ｂと１５３ｂについても、あるいは発振同調用インダクタ１４４ｂ，１５９ｂについても誘導結合による選択特性への影響は同様である。
【０１０１】
従って、アンテナ同調用インダクタ１３８ｂ，１５３ｂ同士、あるいは段間同調用インダクタ１４０ｂ，１５５ｂ同士、あるいは段間同調用インダクタ１４１ａ，１５６ａ同士の間には、互いに高周波シールドのための金属製のケースあるいは仕切り板を用いることなく、空気のみを介在させて近接して配置することが可能となるので、小型サイズの電子チューナを実現できる。
【０１０２】
このとき、高周波シールド用の仕切り板には、金属製の仕切り板を用いることが多いが、絶縁材料に金属めっきを施した仕切り板を用いてもよい。
【０１０３】
なお、実施の形態３の電子チューナでは、２つの受信回路部に対するダンピング回路の効果について説明したが、複数個の受信回路部を有する場合においても、ダンピング回路による効果は同様であり、非動作状態とした受信回路部に設けられた同調インダクタの少なくともいずれか一つを、ダンピング回路によりダンピングすればよい。
【０１０４】
（実施の形態４）
以下、本発明の実施の形態４について、図面を用いて説明する。図１２は本発明の実施の形態４におけるダンピング回路図である。図１２では、図９で説明したダンピング回路に対して、直列に抵抗を追加した点が異なる。また、図１２において図９と同じものについては、同じ番号を付し、その説明を簡略化している。
【０１０５】
図１１において、実施の形態４における段間同調回路１４１の選択特性２１４を点線で表している。このとき、抵抗１２２，１２３は、例えば１０Ωの小さな抵抗値とし、それぞれダンピング回路１５１，１６４に直列に接続する。非動作の受信回路部１３４の段間回路部１５６は、ダンピング回路１６４と抵抗１２３の直列接続体によって、高周波的にダンピングされる。
【０１０６】
これにより、段間同調回路１４１の選択特性２１４は、直列共振周波数２０４，２０６および並列共振周波数２０５が高周波的にダンピングされるので、点線で示すようになる。すなわち、直列共振周波数２０４，２０６および並列共振周波数２０５における減衰量が平均化されることになり。妨害に対する抑圧が増す。
【産業上の利用可能性】
【０１０７】
本発明にかかる高周波受信装置は、小型サイズの電子チューナを実現できるという効果を有し、特に携帯電話、携帯端末に対して利用すると有用である。
【図面の簡単な説明】
【０１０８】
【図１】本発明の実施の形態１における電子チューナの回路図
【図２】同、電子チューナの部品配置図
【図３】同、電子チューナの段間同調回路図
【図４】同、電子チューナの段間同調回路のインピーダンス図
【図５】同、電子チューナの段間同調回路の選択特性図
【図６】本発明の実施の形態２における電子チューナの段間同調回路図
【図７】本発明の実施の形態３における電子チューナの回路図
【図８】同、電子チューナの部品配置図
【図９】同、電子チューナの段間同調回路図
【図１０】同、電子チューナの段間同調回路のインピーダンス図
【図１１】同、電子チューナの段間同調回路の選択特性図
【図１２】本発明の実施の形態４における電子チューナの段間同調用回路図
【図１３】従来例における電子チューナの回路図
【図１４】同、電子チューナの段間同調回路図
【図１５】同、電子チューナの段間同調回路のインピーダンス図
【図１６】同、電子チューナの段間同調回路の選択特性図
【符号の説明】
【０１０９】
２３  受信回路部
２３ａ  入力端子
２３ｂ  出力端子
２４  受信回路部
２４ａ  入力端子
２４ｂ  出力端子
２６  混合回路部
２７  出力端子
２８  アンテナ同調回路
２９  増幅器
３０  段間同調回路
３１  段間同調回路
３２  ダンピング回路
３３  ダンピング回路
３４  ダンピング回路
３５  アンテナ同調回路
３６  増幅器
３７  段間同調回路
３８  段間同調回路
３９  ダンピング回路
４０  ダンピング回路
４１  ダンピング回路
５１  切替えスイッチ
５２  混合器
５３  発振器
５４  発振同調回路
【図１】
2005303764.tif 000003
【図２】
2005303764.tif 000004
【図３】
2005303764.tif 000005
【図４】
2005303764.tif 000006
【図５】
2005303764.tif 000007
【図６】
2005303764.tif 000008
【図７】
2005303764.tif 000009
【図８】
2005303764.tif 000010
【図９】
2005303764.tif 000011
【図１０】
2005303764.tif 000012
【図１１】
2005303764.tif 000013
【図１２】
2005303764.tif 000014
【図１３】
2005303764.tif 000015
【図１４】
2005303764.tif 000016
【図１５】
2005303764.tif 000017
【図１６】
2005303764.tif 000018